(57)【特許請求の範囲】
【請求項１】
集積回路パッケージオンパッケージ積層システムを製造する方法であって、
ベース基板を設けることと、
コンタクトパッドのアレイを前記ベース基板上に設けることと、
能動構成要素を前記ベース基板に取付けることと、
モールドキャップを前記ベース基板の中央部上に形成することと、
複数の上部パッケージを前記ベース基板の周縁部に沿うように前記ベース基板と前記モールドキャップに取付けることとを含み、前記モールドキャップの上部面の一部であって、前記ベース基板の周縁部側に位置する部分を露出したままにすることを含み、前記方法はさらに、
上部パッケージ間の前記モールドキャップと前記ベース基板とを切断することでパッケージオンパッケージを切離すことを含む、方法。
【請求項２】
厚みの異なる部分を有するモールドキャップを前記ベース基板上に設けることをさらに含む、請求項１に記載の方法。
【請求項３】
前記上部パッケージと前記モールドキャップの薄肉部との間に隙間充填剤を与えることをさらに含む、請求項１に記載の方法。
【請求項４】
前記上部パッケージと前記ベース基板上のコンタクトパッドの前記アレイとの間にシステム相互接続部を設けることをさらに含む、請求項１に記載の方法。
【請求項５】
前記モールドキャップと前記上部パッケージとの間にオーバーラップ領域を設けることをさらに含む、請求項１に記載の方法。
【請求項６】
前記ベース基板上に厚みの異なる部分を有するモールドキャップを設けることをさらに含み、前記モールドキャップは、外周に薄肉部を含む、請求項１に記載の方法。
【請求項７】
集積回路パッケージオンパッケージ積層システムであって、
ベース基板と、
前記ベース基板上のコンタクトパッドのアレイと、
前記ベース基板上の能動構成要素と、
前記ベース基板の一方端上のモールドキャップと、
前記ベース基板の一方端側に位置する前記モールドキャップの上部面を露出させ、前記ベース基板の他方端上および前記モールドキャップ上の上部パッケージとを含み、
前記モールドキャップは、厚みの異なる部分を含む、システム。
【請求項８】
前記上部パッケージと前記モールドキャップの薄肉部との間に隙間充填剤をさらに含む、請求項７に記載のシステム。
【請求項９】
前記上部パッケージと前記ベース基板上のコンタクトパッドの前記アレイとの間にシステム相互接続部をさらに含む、請求項７に記載のシステム。
【請求項１０】
前記モールドキャップと前記上部パッケージとの間にオーバーラップ領域をさらに含む、請求項７に記載のシステム。
【請求項１１】
前記モールドキャップは、厚みの異なる部分を含み、外周に薄肉部を含む、請求項７に記載のシステム。
【発明の詳細な説明】
【技術分野】
【０００１】
関連出願の相互参照
この出願は、２００５年５月１６日に出願された米国仮特許出願連続番号第６０／５９４，８８７号の利益を主張する。
【０００２】
この出願は、「オフセット集積回路パッケージオンパッケージ積層システム（Offset Integrated Circuit Package-on-Package Stacking System）」と題される、シム（Shim）らによって同時に出願された米国特許出願番号１１／３８３，４０３号に関連する主題を含む。関連出願はスタッツ・チップパック・リミテッド（STATS ChipPAC Ltd.）に譲渡される。
【０００３】
技術分野
この発明は概して集積回路パッケージシステムに関し、より特定的には、積み重ねられたパッケージを有する集積回路パッケージシステムのためのシステムのためのシステムに関する。
【背景技術】
【０００４】
背景技術
集積回路を他の回路と接続するために、集積回路をリードフレームまたは基板に取付けることが一般的である。各々の集積回路は、極めて高純度の金またはアルミニウムのワイヤを使用してリードフレームのリードフィンガーパッドに個々に接続されるボンディングパッドを有する。このアセンブリは、次いで、成形されたプラスチックまたはセラミックの本体にアセンブリを個々に封入することによってパッケージ化されて、集積回路パッケージを作る。
【０００５】
集積回路パッケージング技術では、単一の回路板または回路基板に取付けられる集積回路の数の増加がみられてきた。新しいパッケージングの設計は、集積回路の物理的な大きさおよび形状などの形状要因の点でよりコンパクトであり、集積回路の密度全体の大幅な増加をもたらしている。しかしながら、集積回路の密度は、個々の集積回路を基板に取付けるのに利用可能な「リアルエステート」によって制限され続ける。ＰＣ、計算サーバ、および記憶サーバなどのより大きな形状要因のシステムであっても、同一の「リアルエステート」またはより小さな「リアルエステート」の中により多くの集積回路が必要となる。携帯電話、デジタルカメラ、音楽プレーヤ、ＰＤＡ、およびロケーションベースの装置などの携帯型個人用電子機器の必要性は、特に切実であり、集積回路の密度の必要性をさらに推し進めてきた。
【０００６】
この集積回路の密度の増加は、２つ以上の集積回路がパッケージ化され得るマルチチップパッケージの発展を招いてきた。各々のパッケージは、個々の集積回路、および集積回路が周囲の回路に電気的に接続されることを可能にする相互接続線の１つ以上の層に機械的な支持をもたらす。現在のマルチチップパッケージは、通常マルチチップモジュールとも称されるが、典型的には、別個の集積回路構成要素の組が直接に取付けられるＰＣＢ基板から成る。このようなマルチチップパッケージは、集積回路の密度および小型化を高め、信号伝搬速度を向上させ、集積回路全体の大きさおよび重量を低減し、性能を向上させ、コストを下げることがわかってきた。これらはすべて、コンピュータ業界の第一義的な目標である。
【０００７】
マルチチップパッケージはさらに、垂直に配置されていようと、水平に配置されていようと、問題を提示する可能性がある。なぜなら、マルチチップパッケージは通常、集積回路および集積回路の接続部が検査され得る前に予め組立てられなければならないからである。したがって、集積回路がマルチチップモジュールにおいて取付けられ、接続されるとき、個々の集積回路および接続部は個々に検査されることができず、より大きな回路に組立てられる前に品質保証チップ（「known-good-die」）（「ＫＧＤ」）を識別することが不可能である。その結果、従来のマルチチップパッケージは組立プロセスの歩留りの問題を招く。したがって、ＫＧＤを識別しないこの製造プロセスは信頼性の低いものになり、組立の欠陥を被りやすい。
【０００８】
さらに、典型的なマルチチップパッケージにおいて垂直に積み重ねられた集積回路は、水平に配置された集積回路パッケージの問題以上に問題を提示する可能性があり、これはさらに製造プロセスを複雑にする。個々の集積回路の実際の故障モードを検査し、したがって実際の故障モードを判断することはより困難である。さらに、基板および集積回路は、組立または検査の間に損傷を受けることが多く、これは製造プロセスを複雑にし、コストを増大させる。垂直に積み重ねられた集積回路の問題は利点よりも大きい可能性がある。
【発明の開示】
【発明が解決しようとする課題】
【０００９】
したがって、改良されたパッケージング方法、システム、および設計の必要性が依然として残されている。コストを節約し、効率を高める必要性が益々増大していることを考慮して、これらの問題に対する解決策が見出されることが益々重要である。商業的な競争圧力の益々の増加、顧客の期待の高まり、および市場において意義のある製品の差別化のための機会が減少していることを考慮して、これらの問題に対する解決策が見出されることが益々重要である。さらに、コストを節約し、効率を高め、このような競争圧力に対処する必要性が益々増大することにより、これらの問題に対する解決策が見出されなければならないという重大な必要性にさらなる緊急性が加わる。
【００１０】
これらの問題に対する解決策は長く求められてきたが、先行技術の開発は如何なる解決策も教示または提案せず、したがって、これらの問題に対する解決策は長く当業者に発見されて来なかった。
【課題を解決するための手段】
【００１１】
発明の開示
この発明は、ベース基板を設けることと、コンタクトパッドのアレイをベース基板上に設けることと、能動構成要素および任意の受動構成要素をベース基板に取付けることと、モールドキャップをベース基板に射出することと、オフセットパッケージをベース基板およびモールドキャップに取付けることと、パッケージオンパッケージをベース基板から切離すこととを含むオフセット集積回路パッケージオンパッケージ積層システムを提供する。
【発明を実施するための最良の形態】
【００１２】
この発明の特定の実施例は、上述の実施例に加えてまたは上述の実施例の代わりに他の利点を有する。この利点は、添付の図面を参照して取り入れられるときに以下の詳細な説明を読むことによって当業者に明らかになる。
【００１３】
発明を実施するための最良の形態
以下の実施例は、当業者がこの発明をなし、使用することができるように十分詳細に記載される。この開示に基づいて他の実施例が明らかであろうということが理解されるべきであり、この発明の範囲から逸脱することなくプロセスまたは機械的な変更がなされ得ることが理解されるべきである。
【００１４】
以下の記載では、この発明を完全に理解できるようにするために多くの具体的な詳細が与えられる。しかしながら、この発明はこれらの具体的な詳細がなくても実施され得ることが明らかである。この発明を曖昧にするのを避けるために、いくつかの周知の回路、システムの構成、およびプロセスのステップは詳細に開示されない。
【００１５】
同様に、この装置の実施例を示す図面は半概略的であり、一定の比例に応じて描かれているわけではなく、特に、寸法のうちのいくつかは表示を明確にするためのものであり、図面を描く際に大幅に誇張されて示される。さらに、共通のいくつかの特徴を有する複数の実施例が開示され、記載される場合には、それらの記載、説明、および理解を明確にし、容易にするために、同様および同一の特徴はそれぞれ、同一の参照番号を用いて通常は記載される。
【００１６】
本明細書において使用される「水平な」という用語は、向きにかかわらず、ベース基板の面または表面に平行な面として規定される。「垂直な」という用語は、今まさに規定された水平位置に直交する方向を指す。「上方に」、「下方に」、「底部」、「上部」、「側」（「側壁」におけるように）、「より高い」、「より低い」、「より上の」、「真上に」、および「真下に」などの用語は、水平面に対して規定される。「上に（on）」という用語は、要素間に直接的な接触があることを意味する。本明細書において使用される「処理する」という用語は、記載される構造を形成する際に必要な材料のスタンピング、鍛造、パターニング、露光、現像、エッチング、洗浄、および／もしくは除去またはレーザトリミングを含む。
【００１７】
ここで図１を参照して、この発明の実施例におけるオフセット集積回路パッケージオンパッケージ積層システム１００の上面図が示される。オフセット集積回路パッケージオンパッケージ積層システム１００の上面図は、ベースパッケージ１０２に取付けられたディスクリート構成要素１０４を有するベースパッケージ１０２を示す。モールドキャップ１０６はベースパッケージ１０２の中央に位置決めされる。オフセットパッケージ１０８はベースパッケージ１０２の隅に取付けられ、モールドキャップ１０６の上部面を露出したままにする。切離し線１１０は基板をセクション１１２に分割する。ベースパッケージ１０２は回転対称を有し、これはセクション１１２の各々が、それが隣接するセクション１１２から、ベースパッケージ１０２の配置の中心の周りで、９０°の回転を有することを意味する。第二象限におけるセクション１１２は、第一象限から９０°回転されている、などである。
【００１８】
ここで図２を参照して、図１のオフセット集積回路パッケージオンパッケージ積層システム１００のベース基板アセンブリ２００の上面図が示される。ベース基板アセンブリ２００の上面図は、図１のセクション１１２に取付けられた任意の受動構成要素２０４を有するベース基板上部面２０２を示す。集積回路などの能動構成要素２０６は、ベース基板上部面２０２に取付けられ、ボンドワイヤ２１０によってボンディングパッド２０８に電気的に接続される。コンタクトパッド２１２のアレイはセクション１１２の隅に置かれる。任意の受動構成要素２０４およびコンタクトパッド２１２のアレイの位置を含むセクション１１２の配置は、隣接するセクション１１２間で、セクション１１２の中心の周りで、９０°だけ回転される。この関係は回転対称と称される。
【００１９】
ここで図３を参照して、図２のベース基板アセンブリ２００上のパッケージ成形装置３００の断面図が示される。パッケージ成形装置３００の断面図は、図２のベース基板上部面２０２上にモールドチェイス３０２を有するベース基板アセンブリ２００を示す。モールドチェイス３０２は、プラスチックまたはセラミック材料などのパッケージング材料３０４を形づくるために使用され、パッケージング材料３０４は、上部ゲート成形技術を利用して、上部モールドゲートなどのモールドゲート３０６を通ってモールドチェイス３０２の空洞の中に射出される。パッケージング材料３０４は、図２の任意の受動構成要素２０４および図２の能動構成要素２０６などの、モールドチェイスの下にある構成要素の周りに保護バリアを形成する。
【００２０】
ここで図４を参照して、切離しの前のベースパッケージ４００の上面図が示される。ベースパッケージ４００の上面図は、単一のモールドキャップ４０２を囲むように配置される、図２のベース基板上部面２０２、図２の任意の受動構成要素２０４、および図２のコンタクトパッド２１２のアレイを含む。切離し線４０４の組は単一のモールドキャップ４０２をセクションに分割する。セクションの各々は、その隣接するセクションに対して回転対称である。回転対称は、隣接するセクションに対して９０°回転される各々のセクションにおいて等価のパターンをもたらす。
【００２１】
ここで図５を参照して、図４のベースパッケージを有するオフセット集積回路パッケージオンパッケージ積層システム１００の上面図が示される。オフセット集積回路パッケージオンパッケージ積層システム１００の上面図は、図１のオフセットパッケージ１０８を有するベースパッケージ４００を示し、オフセットパッケージ１０８は、図４の切離し線４０４の組によって形成されるセクションの各々に取付けられる。オフセットパッケージ１０８は回転対称に配置される。オフセットパッケージ１０８の各々は、隣接するセクションにおけるオフセットパッケージ１０８に対して９０°回転される。オフセットパッケージ１０８は単一のモールドキャップ４０２の角を覆って取付けられる。この構成によって、ベースパッケージ４００における回路とオフセットパッケージ１０８における回路との間の相互接続が可能になる。信号のうちのいくつかも、印刷回路基板（図示せず）に直接に進み得る。
【００２２】
ここで図６を参照して、図５のオフセット集積回路パッケージオンパッケージ積層システム１００の断面図が示される。オフセット集積回路パッケージオンパッケージ積層システム１００の断面図は、ベース上部面６０４およびベース底部面６０６を備えるベース基板６０２を有する、ボールグリッドアレイパッケージなどの図４のベースパッケージ４００を示す。第１の集積回路６０８は、ダイ接着材料などの接着剤６１０でベース上部面６０４に取付けられる。第１の集積回路６０８は、ボンドワイヤ、はんだバンプ、はんだコラム、またはスタッドバンプなどの電気的な相互接続部６１２によってベース上部面６０４に結合される。成形材料などのベースモールドキャップ６１４は、第１の集積回路６０８、電気的な相互接続部６１２、およびベース上部面６０４の一部を囲むように射出成形される。はんだボール、はんだコラムインターポーザ、またはスタッドバンプなどのシステム相互接続部６１６は、システムの次のレベル（図示せず）に取付けるためにベース底部面６０６に取付けられる。コンタクトパッド６１８のアレイは、ベースモールドキャップ６１４の周りの領域に分散される。
【００２３】
上部面６２４および底部面６２６を備えるオフセット基板６２２を有するオフセットパッケージ６２０は、オフセット位置でベースパッケージ４００に取付けられる。オフセットパッケージ６２０は、接着剤６１０で上部面６２４に取付けられた第２の集積回路６２８を有する。第２の集積回路６２８は、電気的な相互接続部６１２によって上部面６２４に結合される。成形材料などのオフセットパッケージ本体６３０は、第２の集積回路６２８、上部面６２４、および電気的な相互接続部６１２を覆って射出成形される。システム相互接続部６１６は、オフセット基板６２２の底部面６２６に取付けられる。オフセットパッケージ６２０はベースパッケージ４００に取付けられ、その結果、オフセット基板６２２の底部面６２６はベースモールドキャップ６１４およびシステム相互接続部６１６の上に置かれる。オーバーラップ領域６３２は、リフロープロセス中にシステム相互接続部が崩壊するのを防ぐことを助ける、安定性を有する領域を確立する。この構成は、印刷回路基板（図示せず）上で必要とされる空間を低減するが、オフセット集積回路パッケージオンパッケージ積層システム１００の一部の上に低いプロファイルを維持する。
【００２４】
ここで図７を参照して、この発明の代替的な実施例における二重のプロファイルのモールドキャップパッケージ７００の上面図が示される。二重のプロファイルのモールドキャップパッケージ７００の上面図は、ベースパッケージ７０２の中央に位置決めされる二重のプロファイルのモールドキャップ７０４を有するベースパッケージ７０２を示す。オフセットパッケージ７０６はベースパッケージ７０２の隅に取付けられる。切離し線７０８は基板をセクション７１０に分割する。ベースパッケージ７０２はセクション７１０の鏡面対称を有し、これはセクション７１０の各々が、切離し線７０８の１つでもある反射線の反対側にあるセクション７１０と反対またはセクション７１０から鏡面対称を有することを意味する。
【００２５】
ここで図８を参照して、図７の二重のプロファイルのモールドキャップパッケージ７００の断面図が示される。二重のプロファイルのモールドキャップパッケージ７００の断面図は、ベース上部面８０４およびベース底部面８０６を備えるベース基板８０２を有する、ボールグリッドアレイパッケージなどのベースパッケージ７０２を示す。第１の集積回路８０８は、ダイ接着材料などの接着剤８１０でベース上部面８０４に取付けられる。第１の集積回路８０８は、ボンドワイヤ、はんだバンプ、はんだコラム、またはスタッドバンプなどの電気的な相互接続部８１２によってベース上部面８０４に結合される。成形材料などのベースパッケージ本体８１４は、第１の集積回路８０８、電気的な相互接続部８１２、およびベース上部面８０４の一部を囲むように射出成形される。ベースパッケージ本体８１４は２つの別個の厚さを有する。ステップダウンフランジ領域はベースパッケージ本体８１４の外周に延在する。ステップアップ領域は、より高いレベルの集積化のために複数の集積回路の積み重ねを収容し得る。ステップダウンフランジはベースパッケージ本体８１４のステップアップ領域よりも薄い。はんだボール、はんだコラムインターポーザ、またはスタッドバンプなどのシステム相互接続部８１６は、システムの次のレベル（図示せず）に取付けるためにベース底部面８０６に取付けられる。コンタクトパッド８１８のアレイは、ベースパッケージ本体８１４の周りの領域に分散される。
【００２６】
上部面８２４および底部面８２６を備えるオフセット基板８２２を有するオフセットパッケージ８２０は、オフセット位置でベースパッケージ７０２に取付けられる。オフセットパッケージ８２０は、接着剤８１０で上部面８２４に取付けられた第２の集積回路８２８を有する。第２の集積回路８２８は、電気的な相互接続部８１２によって上部面８２４に結合される。成形材料などのオフセットパッケージ本体８３０は、第２の集積回路８２８、上部面８２４、および電気的な相互接続部８１２を覆って射出成形される。システム相互接続部８１６は、オフセット基板８２２の底部面８２６に取付けられる。オフセットパッケージ８２０はベースパッケージ７０２に取付けられ、その結果、オフセット基板８２２の底部面８２６はダイ接着材料などの隙間充填剤８３２の上、ベースパッケージ本体８１４のステップダウンフランジおよびシステム相互接続部８１６の上に置かれる。この構成は、印刷回路基板（図示せず）上で必要とされる空間を低減するが、オフセット集積回路パッケージオンパッケージ積層システム１００の一部の上に低いプロファイルを維持する。
【００２７】
ここで図９を参照して、この発明の実施例における、鏡面対称をしたベース基板９００の上面図が示される。ベース基板９００の上面図は、ベース基板上部面９０２の端縁に隣接したコンタクトパッド９０４のアレイを有するベース基板上部面９０２を示す。受動構成要素接触部９０６のアレイは、ベース基板上部面９０２の別の端縁の近くに並べられる。能動構成要素ボンディングパッド９０８のアレイは、ベース基板上部面９０２の中央近くに位置決めされる。能動構成要素ボンディングパッド９０８は能動構成要素（図示せず）をワイヤボンディングするために使用されてもよく、または能動構成要素ボンディングパッド９０８はフリップチップ型の取付けのために使用され得るであろう。ベース基板上部面９０２上の要素が鏡面対称に配置されるので、切離し線９１０も反射線の役割を果たす。鏡像のダイはこの構成のために必要とされる。
【００２８】
ここで図１０を参照して、図９のベース基板を利用したオフセット集積回路パッケージオンパッケージ積層システム１０００の上面図が示される。オフセット集積回路パッケージオンパッケージ積層システム１０００の上面図は、ベース基板上部面９０２の端縁の近くに列状に取付けられた任意の受動構成要素１００２を有するベース基板上部面９０２を示す。ベースモールドキャップ１００４はベース基板上部面９０２の中央に位置決めされる。オフセットパッケージ１００６は、ベース基板上部面９０２およびベースモールドキャップ１００４に取付けられる。オフセットパッケージ１００６の端縁は、ベースモールドキャップ１００４の端縁と整列される。
【００２９】
ここで図１１を参照して、平行移動対称および鏡面対称が組合せられたベース基板１１００の上面図が示される。ベース基板１１００の上面図は、ベース基板上部面１１０２の端縁に隣接したコンタクトパッド１１０４のアレイを有するベース基板上部面１１０２を示す。受動構成要素接触部１１０６のアレイは、ベース基板上部面１１０２の別の端縁の近くに並べられる。能動構成要素ボンディングパッド１１０８のアレイは、コンタクトパッド１１０４のアレイの間に位置決めされる。能動構成要素ボンディングパッド１１０８は能動構成要素（図示せず）をワイヤボンディングするために使用されてもよく、または能動構成要素ボンディングパッド１１０８はフリップチップ型の取付けのために使用され得るであろう。中央線１１１０も切離し線の役割を果たし、平行移動対称を示すセクションを分けるように機能する。ベース基板上部面１１０２上の要素が対称線１１１２の両側に鏡面対称に配置されるので、対称線１１１２は反射線の役割を果たす。
【００３０】
ここで図１２を参照して、図１１のベース基板を利用するオフセット集積回路パッケージオンパッケージ積層システム１２００の上面図が示される。オフセット集積回路パッケージオンパッケージ積層システム１２００の上面図は、任意の受動構成要素１２０２が取付けられたベース基板上部面１１０２を示す。ベースモールドキャップ１２０４はベース基板上部面１１０２の中央領域にあり、ベース基板上部面１１０２は、ベース基板上部面１１０２およびベースモールドキャップ１２０４に取付けられるオフセットパッケージ１２０６を有する。モールドゲート１２０８はベース基板上部面１１０２の一端に位置決めされる。モールドゲート１２０８は、サイドゲート成形技術を使用するベースモールドキャップ１２０４の射出中に使用される。切離し線１２１０は、オフセット集積回路パッケージオンパッケージ積層システム１２００が最終プロセスステップとして如何に分割されることになるかを示す。
【００３１】
ここで図１３を参照して、平行移動対称および回転対称が組合せられたベース基板１３００の上面図が示される。ベース基板１３００の上面図は、ベース基板上部面１３０２の端縁に隣接したコンタクトパッド１３０４のアレイを有するベース基板上部面１３０２を示す。受動構成要素接触部１３０６のアレイは、ベース基板上部面１３０２の別の端縁の近くに並べられる。能動構成要素ボンディングパッド１３０８のアレイは、コンタクトパッド１３０４のアレイの間に位置決めされる。能動構成要素ボンディングパッド１３０８は能動構成要素（図示せず）をワイヤボンディングするために使用されてもよく、または能動構成要素ボンディングパッド１３０８はフリップチップ型の取付けのために使用され得るであろう。中央線１３１０も切離し経路をしるし、平行移動対称を示すセクションを分けるように機能する。切離し線１３１２は、切離し線１３１２の両側でセクションの中心の周りに１８０°回転した状態で配置される配置をベース基板上部面１３０２上で分ける。なお、これらの配置は、中心線１３１０の下方で再現される。
【００３２】
ここで図１４を参照して、図１３のベース基板を利用するオフセット集積回路パッケージオンパッケージ積層システム１４００の上面図が示される。オフセット集積回路パッケージオンパッケージ積層システム１４００の上面図は、任意の受動構成要素１４０２が取付けられたベース基板上部面１３０２を示す。ベースモールドキャップ１４０４はベース基板上部面１３０２の中央領域にあり、ベース基板上部面１３０２は、ベース基板上部面１３０２およびベースモールドキャップ１４０４に取付けられるオフセットパッケージ１４０６を有する。モールドゲート１４０８はベース基板上部面１３０２の一端に位置決めされる。モールドゲート１４０８は、サイドゲート成形技術を使用するベースモールドキャップ１４０４の射出中に使用される。切離し線１４１０は、オフセット集積回路パッケージオンパッケージ積層システム１４００が最終プロセスステップとして如何に分割されることになるかを示す。
【００３３】
ここで図１５を参照して、この発明の別の代替的な実施例におけるオフセット集積回路パッケージオンパッケージ積層システム１５００の上面図が示される。オフセット集積回路パッケージオンパッケージ積層システム１５００の上面図は、任意の受動構成要素１５０４が取付けられたベース基板上部面１５０２を示す。ベースモールドキャップ１５０６はベース基板上部面１５０２の中央領域にあり、ベース基板上部面１５０２は、ベース基板上部面１５０２およびベースモールドキャップ１５０６に取付けられるオフセットパッケージ１５０８を有する。切離し線１５１０は、オフセット集積回路パッケージオンパッケージ積層システム１５００が最終プロセスステップとして如何に分割されることになるかを示す。
【００３４】
ここで図１６を参照して、この発明のさらに別の代替的な実施例におけるオフセット集積回路パッケージオンパッケージ積層システム１６００の上面図が示される。オフセット集積回路パッケージオンパッケージ積層システム１６００の上面図は、ベース基板上部面１６０２を示し、ベースモールドキャップ１６０４はベース基板上部面１６０２の中央領域にあり、ベース基板上部面１６０２は、ベース基板上部面１６０２およびベースモールドキャップ１６０４に取付けられるオフセットパッケージ１６０６を有する。ベース基板上部面１６０２の複数のコピーは、境界を規定する分離スロット１６０８と結び付けられる。サイドモールドゲート１６１０は、ベースモールドキャップ１６０４を形成するために射出プロセス中に使用される。切離し線１６１２は、オフセット集積回路パッケージオンパッケージ積層システム１６００が最終プロセスステップとして如何に分割されることになるかを示す。
【００３５】
ここで図１７を参照して、開口を有するベース基板１７００の上面図が示される。ベース基板１７００の上面図は、ベース基板上部面１７０２の端縁に隣接したコンタクトパッド１７０４のアレイを有するベース基板上部面１７０２を示す。受動構成要素接触部１７０６のアレイは、ベース基板上部面１７０２の別の端縁の近くに並べられる。能動構成要素ボンディングパッド１７０８のアレイは、コンタクトパッド１７０４のアレイの間に位置決めされる。能動構成要素ボンディングパッド１７０８は能動構成要素（図示せず）をワイヤボンディングするために使用されてもよく、または能動構成要素ボンディングパッド１７０８はフリップチップ型の取付けのために使用され得るであろう。切離し線１７１０も分離経路をしるし、回転対称を示すセクションを分けるように機能する。ベース基板上部面１７０２上の配置が、切離し線１７１０の両側でセクションの中心の周りに９０°回転して配置されるので、基板スロット１７１２は案内線の役割を果たす。斜めに位置する基板スロット１７１２は、組立プロセス中の応力緩和のためのものであり、切離しのために使用されるわけではない。
【００３６】
ここで図１８を参照して、回転対称をしたベース基板アセンブリ１８００の上面図が示される。ベース基板アセンブリ１８００の上面図は、ベース基板上部面１８０２に取付けられる任意の受動構成要素１８０４を有するベース基板上部面１８０２を示す。集積回路１８０６はベース基板上部面１８０２に取付けられ、ボンドワイヤ１８１０によってボンディングパッド１８０８に電気的に接続される。コンタクトパッド１８１２のアレイは、ベース基板上部面１８０２の端縁に置かれる。任意の受動構成要素１８０４およびコンタクトパッド１８１２のアレイの位置を含む配置は、セクションの各々の間で、セクションの中心の周りで、９０°だけ回転される。この関係は回転対称と称される。
【００３７】
ここで図１９を参照して、角度オフセットのある半導体ダイを有するベース基板アセンブリ１９００の上面図が示される。ベース基板アセンブリ１９００の上面図は、ベース基板上部面１９０２に取付けられる任意の受動構成要素１９０４を有するベース基板上部面１９０２を示す。集積回路１９０６は、ベース基板上部面１９０２に取付けられ、ボンドワイヤ１９１０によってボンディングパッド１９０８に電気的に接続される。コンタクトパッド１９１２のアレイはベース基板上部面１９０２の端縁に置かれる。任意の受動構成要素１９０４およびコンタクトパッド１９１２のアレイの位置を含む配置は、隣接するセクション間で、セクションの中心の周りで、９０°だけ回転される。この関係は回転対称と称される。この構成により、集積回路１９０６の各々が、基板のルーティング空間の制約を緩和するように、角度オフセットのある態様で切離し線１９１４の近くに置かれることが可能になる。
【００３８】
ここで図２０を参照して、この発明の実施例におけるオフセット集積回路パッケージオンパッケージ積層システム１００を製造するためのオフセット集積回路パッケージオンパッケージ積層システム２０００のフロー図が示される。システム２０００は、ブロック２００２においてベース基板を設けることと、ブロック２００４においてコンタクトパッドのアレイをベース基板上に設けることと、ブロック２００６において能動構成要素および任意の受動構成要素をベース基板に取付けることと、ブロック２００８においてモールドキャップをベース基板に射出することと、ブロック２０１０においてオフセットパッケージをベース基板およびモールドキャップに取付けることと、ブロック２０１２においてパッケージオンパッケージをベース基板から切離すこととを含む。
【００３９】
このように、この発明は多くの利点を有することが分かってきた。
原理的な利点は、この発明が印刷回路基板上でさらなる空間を消費することなく集積回路の密度の増加をもたらすことである。
【００４０】
別の利点は、すべての集積回路がパッケージングの前に検査され得るという事実のために、この装置が高い歩留りを生み出すことができることである。
【００４１】
この発明のさらに別の重要な利点は、コストの低減、システムの単純化、および性能の向上という歴史的傾向をこの発明が有益に支持し、要求に応えることである。
【００４２】
この発明のこれらのおよび他の有益な局面は、その結果、技術の状態を少なくとも次のレベルにまで推し進める。
【００４３】
このように、この発明のオフセット集積回路パッケージオンパッケージシステムは、高密度集積回路パッケージングのための重要で、今まで知られておらず、利用できなかった解決策、機能、および機能的な局面を提供することが分かってきた。結果として生じるプロセスおよび構成は、単純明快なものであり、費用対効果が高く、複雑ではなく、非常に汎用性のある効果的なものであり、公知の技術を適合させることによって実現されることができ、したがって、従来の製造プロセスおよび技術と十分に互換性のあるパッケージオンパッケージ装置を効率的および経済的に製造することに容易に適合される。
【００４４】
この発明は具体的な最良の形態に関連して記載されてきたが、多くの代替例、修正例、および変形例が上の記載の観点で当業者に明らかであることが理解されるべきである。したがって、上の記載は、含まれる特許請求の範囲内のすべてのこのような代替例、修正例、および変形例を包含するように意図される。これまで本明細書に記載されたすべての事項、または添付の図面に示されたすべての事項は、例示的および非限定的な意味で解釈されるべきである。
【図面の簡単な説明】
【００４５】
【図１】この発明の実施例におけるオフセット集積回路パッケージオンパッケージ積層システムの上面図である。
【図２】図１の集積回路パッケージオンパッケージ積層システムのベース基板アセンブリの上面図である。
【図３】図２のベース基板アセンブリ上のパッケージ成形装置の断面図である。
【図４】切離しの前のベースパッケージの上面図である。
【図５】図４のベースパッケージを有するオフセット集積回路パッケージオンパッケージ積層システムの上面図である。
【図６】図５のオフセット集積回路パッケージオンパッケージ積層システムの断面図である。
【図７】この発明の代替的な実施例における二重のプロファイルのモールドキャップパッケージの上面図である。
【図８】図７の二重のプロファイルのモールドキャップの断面図である。
【図９】この発明の実施例における、鏡面対称をしたベース基板の上面図である。
【図１０】図９のベース基板を利用するオフセット集積回路パッケージオンパッケージ積層システムの上面図である。
【図１１】平行移動対称および鏡面対称が組合せられたベース基板の上面図である。
【図１２】図１１のベース基板を利用するオフセット集積回路パッケージオンパッケージ積層システムの上面図である。
【図１３】平行移動対称および回転対称が組合せられたベース基板の上面図である。
【図１４】図１３のベース基板を利用するオフセット集積回路パッケージオンパッケージ積層システムの上面図である。
【図１５】この発明の別の代替的な実施例におけるオフセット集積回路パッケージオンパッケージ積層システムの上面図である。
【図１６】この発明のさらに別の代替的な実施例におけるオフセット集積回路パッケージオンパッケージ積層システムの上面図である。
【図１７】開口を有するベース基板の上面図である。
【図１８】回転対称をしたベース基板アセンブリの上面図である。
【図１９】角度オフセットのある半導体ダイを有するベース基板アセンブリの上面図である。
【図２０】この発明の実施例におけるオフセット集積回路パッケージオンパッケージ積層システムを製造するためのオフセット集積回路パッケージオンパッケージ積層システムのフロー図である。
【符号の説明】
【００４６】
１０２  ベースパッケージ
１０４  ディスクリート構成要素
１０６  モールドキャップ
１０８  オフセットパッケージ
１１０  切離し線
１１２  セクション
【図１】
0005052037.tif 000002
【図２】
0005052037.tif 000003
【図３】
0005052037.tif 000004
【図４】
0005052037.tif 000005
【図５】
0005052037.tif 000006
【図６】
0005052037.tif 000007
【図７】
0005052037.tif 000008
【図８】
0005052037.tif 000009
【図９】
0005052037.tif 000010
【図１０】
0005052037.tif 000011
【図１１】
0005052037.tif 000012
【図１２】
0005052037.tif 000013
【図１３】
0005052037.tif 000014
【図１４】
0005052037.tif 000015
【図１５】
0005052037.tif 000016
【図１６】
0005052037.tif 000017
【図１７】
0005052037.tif 000018
【図１８】
0005052037.tif 000019
【図１９】
0005052037.tif 000020
【図２０】
0005052037.tif 000021